(57)【要約】【課題】エレベーターがアミューズメントパーク等に設置されている場合に、その設置場所の雰囲気を損なうことなく、且つ、エレベーターの利用者を楽しませることができるエレベーターの乗場装置を得る。【解決手段】所定のキャラクターを使用したアミューズメントパーク、又はその関連施設に設置されたエレベーターの乗場７に、乗場７にいる利用者から目視可能となるように上記キャラクターが配置された乗場釦１４ａ及び１４ｂと、アナウンス装置１５とを設置する。そして、乗場釦１４ａ及び１４ｂに対する所定の操作を検出することにより、上記キャラクターに関連する音或いは声をアナウンス装置１５から出力する。【選択図】図５
2010168158.tif 000002
【特許請求の範囲】
【請求項１】
所定のキャラクターを使用したアミューズメントパーク、又はその関連施設に設置されたエレベーターの乗場装置であって、
エレベーターの乗場に設けられ、前記乗場にいる利用者から目視可能となるように、前記キャラクターが配置された乗場釦と、
前記乗場に設けられたアナウンス装置と、
前記乗場釦に対する所定の操作を検出することにより、前記キャラクターに関連する音或いは声を前記アナウンス装置から出力させる制御装置と、
を備えたことを特徴とするエレベーターの乗場装置。
【請求項２】
乗場釦は、
基部と、
透光性を有する部材からなり、表面が利用者の操作面を構成する操作部と、
前記基部及び前記操作部との間に設けられ、キャラクターの絵柄が前記操作部との対向面に付された絵柄部と、
を備えたことを特徴とする請求項１に記載のエレベーターの乗場装置。
【請求項３】
乗場釦は、
基部と、
前記基部に設けられた透光性を有する部材からなり、表面が利用者の操作面を構成する操作部と、
を備え、
前記操作部は、前記基部に対向する裏面に、キャラクターの絵柄が内彫りされたことを特徴とする請求項１に記載のエレベーターの乗場装置。
【請求項４】
制御装置は、乗場釦に対する所定の操作を検出することにより、前記乗場釦に配置されたキャラクターの声を使用して、前記所定の操作に対する案内をアナウンス装置から行うことを特徴とする請求項１から請求項３の何れかに記載のエレベーターの乗場装置。
【請求項５】
エレベーターを保守モードにするための保守スイッチと、
を更に備え、
制御装置は、前記保守スイッチによってエレベーターが保守モードにされている時に乗場釦に対する所定の操作を検出することにより、前記乗場釦に配置されたキャラクターの声を使用して、エレベーターが利用できない旨の案内をアナウンス装置から行うことを特徴とする請求項１から請求項３の何れかに記載のエレベーターの乗場装置。
【発明の詳細な説明】
【技術分野】
【０００１】
この発明は、アミューズメントパーク等に設置されるエレベーターの乗場装置に関するものである。
【背景技術】
【０００２】
エレベーターの乗場には、利用者が乗場呼びを登録するための乗場操作盤が設置されている。即ち、利用者は、乗場操作盤の乗場釦を操作することにより、上方向或いは下方向の乗場呼びを登録する。
また、乗場操作盤の従来技術として、上記呼び登録機能に加え、自動音声案内機能を備えたものも提案されている（例えば、特許文献１参照）。かかる乗場操作盤では、エレベーターの保守運転中に乗場釦が押されるとアナウンス装置から自動音声案内を行い、エレベーターを利用することができない旨を乗場にいる利用者に対して報知している。
【先行技術文献】
【特許文献】
【０００３】
【特許文献１】特開平７−２０６２９４号公報
【発明の概要】
【発明が解決しようとする課題】
【０００４】
エレベーターが、例えば、オフィスビルや一般的な商業施設、集合住宅等に据え付けられている場合、特許文献１に記載の乗場操作盤がエレベーター乗場に備えられていれば、外観的にも操作的にも特に問題が生じることはない。
【０００５】
しかし、エレベーターが、例えば、アミューズメントパーク等に設置されている場合、乗場操作盤が単に乗場呼びを登録するための機能のみを備えているだけでは、エレベーターの乗場の雰囲気をそのアミューズメントパークのコンセプトに一致させることができず、面白みに欠けるといった問題があった。
また、特許文献１に記載のもののように、単にアナウンス装置から情報が報知されるのでは、人々を楽しませることを目的とするアミューズメントパークの雰囲気が損なわれてしまうといった問題もあった。
【０００６】
この発明は、上述のような課題を解決するためになされたもので、その目的は、エレベーターがアミューズメントパーク等に設置されている場合に、その設置場所の雰囲気を損なうことなく、且つ、エレベーターの利用者を楽しませることができるエレベーターの乗場装置を提供することである。
【課題を解決するための手段】
【０００７】
この発明に係るエレベーターの乗場装置は、所定のキャラクターを使用したアミューズメントパーク、又はその関連施設に設置されたエレベーターの乗場装置であって、エレベーターの乗場に設けられ、乗場にいる利用者から目視可能となるように、キャラクターが配置された乗場釦と、乗場に設けられたアナウンス装置と、乗場釦に対する所定の操作を検出することにより、キャラクターに関連する音或いは声をアナウンス装置から出力させる制御装置と、を備えたものである。
【発明の効果】
【０００８】
この発明によれば、エレベーターがアミューズメントパーク等に設置されている場合に、その設置場所の雰囲気を損なうことなく、且つ、エレベーターの利用者を楽しませることができるようになる。
【図面の簡単な説明】
【０００９】
【図１】エレベーター装置を示す側面図である。
【図２】この発明の実施の形態１におけるエレベーターの乗場装置を示す正面図である。
【図３】図２に示すエレベーターの乗場装置のＡ部詳細図である。
【図４】図２に示すエレベーターの乗場装置の乗場釦を示す図である。
【図５】この発明の実施の形態１におけるエレベーターの乗場装置の構成を示すブロック図である。
【発明を実施するための形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はエレベーター装置を示す側面図、図２はこの発明の実施の形態１におけるエレベーターの乗場装置を示す正面図、図３は図２に示すエレベーターの乗場装置のＡ部詳細図、図４は図２に示すエレベーターの乗場装置の乗場釦を示す図、図５はこの発明の実施の形態１におけるエレベーターの乗場装置の構成を示すブロック図である。
【００１２】
図１乃至図５に示すエレベーターは、所定のオリジナルキャラクターを使用したアミューズメントパークやその関連施設（例えば、アミューズメントパークに隣接した商業施設やホテル等）といった特定の場所に設置されている。そして、そのアミューズメントパークでは、上記キャラクターを用いたアトラクション、劇、パレード等が行われ、上記キャラクターが商業的に活用されている。
【００１３】
図１乃至図５において、１は上記エレベーターの昇降路、２は昇降路１内を昇降するかご、３はかご２とは互いに逆方向に昇降する釣合い重り、４はかご２と釣合い重り３とを釣瓶式に懸架する主ロープ、５は主ロープ４の一部が巻き掛けられた巻上機の駆動綱車、６は巻上機の制御等、エレベーター全体の運行制御を司る制御装置である。また、７はエレベーターの各サービス階に設けられたエレベーター乗場、８は制御装置６に接続された保守スイッチである。
【００１４】
保守スイッチ８は、エレベーターの運転モードを保守モードに設定するために操作される。即ち、エレベーターの専門技術者は、この保守スイッチ８を操作してから、エレベーターの保守点検を実施する。
【００１５】
９は乗場７に立設された乗場三方枠であり、乗場７の床面とによって昇降路１に通じる乗場出入口を形成する。１０は乗場出入口の上方に設けられた幕板、１１は乗場出入口を開閉する乗場ドアである。
【００１６】
また、乗場出入口近傍の乗場壁面には、乗場操作盤１２が設けられている。この乗場操作盤１２には、例えば、かご２の現在位置を示すかご位置表示器１３、上方向及び下方向の各乗場釦１４ａ及び１４ｂ、乗場７にいる利用者に対して案内を行うためのアナウンス装置１５が備えられている。なお、エレベーター利用者は、乗場操作盤１２の乗場釦１４ａを押すことによって上方向の乗場呼びを、乗場釦１４ｂを押すことによって下方向の乗場呼びを登録する。
【００１７】
上記乗場釦１４ａ及び１４ｂは、その一部が乗場操作盤１２の前面パネル１２ａから乗場７側に突出するように設けられており、アミューズメントパークで使用されている上記オリジナルキャラクターが、乗場７にいる利用者から目視可能となるように配置されている。
【００１８】
具体的に、乗場釦１４ａ及び１４ｂは、乗場釦１４ａ及び１４ｂの要部を構成する基部１６、表面が利用者の操作面を構成する操作部１７、基部１６と操作部１７との間に配置されたシート状の絵柄部１８から構成される。なお、絵柄部１８の表面（操作部１７との対向面）には、上記キャラクターの絵柄が付されている。そして、操作部１７は、絵柄部１８の表面に描かれたキャラクターが乗場７側から目視可能となるように、所定の透光性を有する部材から構成されている。
【００１９】
なお、乗場釦１４ａ及び１４ｂは、キャラクターの絵柄が付されたシートを挟み込む上記構成の他、例えば、操作部１７の裏面にキャラクターの絵柄を内彫りすることによっても構成することができる。かかる場合、例えば、操作部１７として透明アクリルを採用し、上記絵柄部１８を用いることなく、操作部１７の裏面を基部１６の表面に直接固定する。
【００２０】
また、制御装置６は、乗場釦１４ａ及び１４ｂに対する所定の操作を検出することにより、上記キャラクターに関連する音や声をアナウンス装置１５から出力させる機能を有している。このような機能を備えるため、制御装置６には、例えば、第１判定部１９、第２判定部２０、第３判定部２１、制御部２２が備えられている。
第１判定部１９は、保守スイッチ８が投入されたか否かを判定する。即ち、エレベーターの保守点検時、エレベーターの専門技術者によって保守スイッチ８が投入されると、第１判定部１９によって保守スイッチ８のＯＮ状態が検出される。
【００２１】
また、第２判定部２０は、乗場釦１４ａ及び１４ｂが操作された（乗場呼びが登録された）か否かを判定する。即ち、エレベーター利用者が乗場釦１４ａ或いは１４ｂを押すことにより、その接点信号が第２判定部２０に入力され、乗場釦１４ａ或いは１４ｂに対して乗場呼び登録のための所定の操作が行われたことが検出される。
第３判定部２１は、かご２の現在位置やかご２がその乗場７に到着するまでの所要時間等、エレベーターの各種状態を判定する機能を有している。
【００２２】
そして、制御部２２は、上記各判定部１９乃至２１の判定結果に基づいて、アナウンス装置１５を適切に制御する。
具体的に、制御部２２は、第１判定部１９及び第２判定部２０の各判定結果に基づき、保守スイッチ８によってエレベーターが保守モードに設定されている時に乗場釦１４ａ或いは１４ｂに対する操作を検出することにより、上記キャラクターの声を使用して、エレベーターが利用できない旨の案内をアナウンス装置１５から行う。かかる場合、例えば、「只今、メンテナンス中だよ。ごめんね。」等のアナウンスを上記キャラクターの声で行う。
【００２３】
また、制御部２２は、エレベーターが通常運転モードである場合、乗場釦１４ａ或いは１４ｂに対する操作を検出することにより、上記キャラクターの声を使用して、その操作に対する案内をアナウンス装置１５から行う。かかる場合、例えば、乗場釦１４ａが押されることにより、「上だよ。」等のアナウンスを上記キャラクターの声で行う。
なお、制御部２２は、乗場呼びの登録後も、第３判定部２１の判定結果に基づいて適切な情報を乗場７の利用者に提供しても良い。かかる場合、例えば、適切なタイミングで「もうすぐ、エレベーターが到着するよ。」等のアナウンスを上記キャラクターの声で実施する。
【００２４】
この発明の実施の形態１によれば、エレベーターがアミューズメントパークやその関連施設に設置されている場合に、その設置場所の雰囲気を損なうことなく、且つ、エレベーターの利用者を楽しませながら適切な情報を提供することができるようになる。
【００２５】
即ち、乗場釦１４ａ及び１４ｂにアミューズメントパークのキャラクターが配置され、更に、利用者が乗場７で乗場釦１４ａ又は１４ｂを操作すると、そのキャラクターの声で適切なアナウンスが行われるため、エレベーターをアミューズメントパークのアトラクションの一種（一部）として位置付けることができ、来園者を楽しませることができる。
【００２６】
また、エレベーターの乗場７に必須の構成である乗場釦１４ａ及び１４ｂに、アミューズメントパークのキャラクターを配置するため、例えば、アミューズメントパークの宣伝用だけのために、乗場出入口上方の幕板１０等に上記キャラクターを配置する必要もない。このため、省スペース化、及び他のエレベーターとの部品の共通化を図りつつ、更なるアミューズメントパークの宣伝効果が期待できる。
【符号の説明】
【００２７】
１  昇降路、  ２  かご、  ３  釣合い重り、  ４  主ロープ、  ５  駆動綱車、
６  制御装置、  ７  乗場、  ８  保守スイッチ、  ９  乗場三方枠、  １０  幕板、
１１  乗場ドア、  １２  乗場操作盤、  １２ａ  前面パネル、
１３  かご位置表示器、  １４ａ  乗場釦、  １４ｂ  乗場釦、
１５  アナウンス装置、  １６  基部、  １７  操作部、  １８  絵柄部、
１９  第１判定部、  ２０  第２判定部、  ２１  第３判定部、  ２２  制御部
【図１】
2010168158.tif 000003
【図２】
2010168158.tif 000004
【図３】
2010168158.tif 000005
【図４】
2010168158.tif 000006
【図５】
2010168158.tif 000007